(57)【要約】      （修正有）【課題】作業者の操作ミスを防止し、容易に初期状態に戻ことが可能な自動壁紙糊付機を提供する。【解決手段】設定された長さの壁紙に糊付け動作を実行する処理と、補助機能を実行する処理とに予め分離した処理の実行順序を定め持ち、補助機能を実行する処理は、実行中の処理から選択実行可能な処理の名称を示した選択項目を選択するための選択入力手段と、選択された処理に進むことを指示する実行指示入力手段と、処理の実行を１つ前の処理に戻すことを指示する後退指示入力手段を設け、実行指示入力手段から信号が入力された時に選択入力手段が選択する選択項目の処理を実行し、後退指示信号手段から信号が入力された時に、実行中の処理を停止して、１つ前に実行していた処理に後退させることを特徴とする。【選択図】図４
2009090225.tif 000002
【特許請求の範囲】
【請求項１】
複数のローラを可変速速度制御するモータ制御部と、表示部、操作部と壁紙糊付機の全体を制御する制御部を有する壁紙糊付機であって、前記制御部は、
設定された長さの壁紙に糊付け動作を実行する処理と、
補助機能を実行する処理とに予め分離した処理の実行順序を定め持ち、補助機能を実行する処理は、実行中の処理から選択実行可能な処理の名称を示した選択項目と、
前記選択項目を選択するための選択入力手段と、
前記選択入力手段により選択された処理に進むことを指示する実行指示入力手段と、
処理の実行を１つ前の処理に戻すことを指示する後退指示入力手段を設け、
前記実行指示入力手段から信号が入力された時に選択入力手段が選択する選択項目の処理を実行し、
前記後退指示信号手段から信号が入力された時に、実行中の処理を停止して、１つ前に実行していた処理に後退させることを特徴とする自動壁紙糊付機。
【請求項２】
前記選択入力手段、実行指示入力手段及び後退指示入力手段のキースイッチの名称部にＬＥＤを設け、各処理毎に有効キーと無効キーを定め、先に打鍵するキーのＬＥＤを点滅させ、後で打鍵するキーのＬＥＤを点灯させることにより、キー操作の順序を促し、操作に該当しないキーが打鍵された場合に、警告音を発する手段を有する請求項１記載の自動壁紙糊付機。
【請求項３】
糊付け動作を実行する処理は、糊付け長さと枚数を設定する項目を有し、選択項目は、少なくともプログラムモード又はパスワード項目を有することを特徴とする請求項１記載の自動壁紙糊付機。
【請求項４】
プログラムモード処理は、操作部のキー及び別体の入力出力装置から入力された２個以上の糊付けデータレコードを同時に表示し、糊付け実行が指示された糊付けデータの「糊付け長さ」項目中の長さを、糊付けを実行する処理の「糊付け長さ」に設定して糊付けを実行し、糊付けを実行した枚数を含む進捗管理レコードを表示する手段を有することを特徴とする請求項３記載の自動壁紙糊付機。
【請求項５】
前記糊付けデータレコードに、糊付け実行順序を設定する「糊付順序」項目を追加した進捗管理レコードを作成し、糊付け実行順序が設定された進捗管理レコードの「糊付け長さ」項目中の長さを、糊付けを実行する処理の「糊付け長さ」に設定して糊付けを実行し、糊付けを実行した枚数を含む前記進捗管理レコードを再表示する請求項４記載の自動壁紙糊付機。
【請求項６】
パスワード処理工程は、補助機能を実行する処理において、パスワードが登録されていた場合に、処理の実行開始直後に、パスワードの打鍵を要求し、打鍵されたパスワードと一致するパスワードが記憶部に存在しない場合には、予め定めた限定処理である「割り込みスイッチ動作」「インチングスイッチ動作」「ストップ動作」「高電圧警告」「低電圧警告」だけを実行し、打鍵されたパスワードと一致するパスワードが記憶部に存在する場合には、補助機能を使う設定の場合と、使わない設定の場合とで、異なる画面を表示して糊付けを実行する手段を有する請求項３記載の自動壁紙糊付機。
【発明の詳細な説明】
【技術分野】
【０００１】
本発明は、自動壁紙糊付機に関するもので、詳しくは、複数のローラの回転の制御や糊付け長さ等の制御を行う操作ボックスを有する自動壁紙糊付機に関する。
【背景技術】
【０００２】
従来より、自動壁紙糊付機において、複数のローラを可変速速度制御するモータ制御部と、表示部、操作部と壁紙糊付機全体を制御する制御部を有する自動壁紙糊付機は公知である。（例えば特許文献１参照）
特許文献１に記載された自動糊付機は、少なくとも糊付け長さ、枚数、識別情報としての部屋番号または通し番号等の設定情報を入力する入力装置を有し、糊付機本体に、上記設定情報を読み込むための読込み装置、読込または設定情報により自動糊付機の作動を指示する演算指示装置、および設定情報および／または実行情報を表示する表示装置を設け、入力装置が上記設定情報を糊付機に送信し、該情報に基づき糊付機を制御することを特徴とする。
【０００３】
さらに詳しく説明すると、特許文献１に記載された自動糊付機においては、電源スイッチがオンされて起動した直後にマニュアルモードの初期画面が表示され、そして初期画面が表示されている時に、キーを押せば、オプションである自動運転、プログラムモード等の画面に切り替わる。
【０００４】
また、各種機能の設定や選択、ＩＣカード、プリンタ、糊検知装置、糊自動供給装置等の入力及び出力を有すると記載されていることから、長さを入力する数字キー以外に、複数のキースイッチが設けられている。
【０００５】
また、電源スイッチがオンされて起動した直後の処理を糊付け動作中に繰り返し実行する（１枚目の壁紙の糊付けが終わり、２枚目の壁紙の糊付けへ進む場合）処理とし、かつ、何れの補助機能を設定するかを選択する処理を含んだ処理とし、また、処理を選択する為のキーに、処理の選択指示と実行指示の両方の役割を持たせている旨が記載されている。
【０００６】
このため、作業者が「糊付け長さ」を設定しようとしているときに、誤って、例えば、「機能」キーと数字キーを同時に押した場合に、作業者が意図していない補助機能の設定を行う処理を実行する。また、普段あまり使っていないオプション（補助機能）の設定をしようとして、複数のキーを押しているうちに、意図しない機能の設定処理に入ってしまう場合などもある。
【特許文献１】実用新案登録第２６００９５２号公報
【発明の開示】
【発明が解決しようとする課題】
【０００７】
上記した従来の特許文献１に記載された自動壁紙糊付機では、作業者が「糊付け長さ」を設定しようとするときに、誤って「機能」キーと数字キーを同時に押した場合に、作業者が意図しない補助機能の設定を実行したり、また、オプションを設定しようとしても、複数のキーを押しているうちに意図しない機能処理を行ってしまうなど、操作ミスが生じる場合があるという課題を有していた。
【０００８】
また、従来の壁紙糊付機では、実行中の処理を終了して元の処理に戻すためのキー操作が１通りではなく、「プログラムモード」機能の場合は、「リセット」キーで戻り、「検尺補正機能」の設定に入っている場合は、「セット」キーで戻るようになっているので、補助機能を滅多に使わない作業者は元に戻すキー操作を暗記していないので、初期状態に戻そうとして「電源スイッチ」を一度オフにして、再度オンさせるが、壁紙糊付機の主演算部は、電源がオフされる直前に設定されていた状態をＮｉ−Ｃｄ電池でデータバックアップされているＲＡＭに格納しておき、再び電源がオンされた時に読み出して続きから実行するので初期状態には戻らず、サービスマンに電話をして、戻す手順を教えてもらうような場合が生ずるという課題を有していた。
【０００９】
また、入力された順に識別番号（プログラムＮｏ．）を付けたレコードを、識別番号の順に１レコードづつ順次読み出して表示するようになっているが、事前に入力されたレコードの順番は、作業指示書などに基づいて壁紙を発注する際に入力した順序の場合が多いが、一方、同じ部屋に同じ種類の壁紙を複数枚貼る場合でも、窓の下の部分と、ドアの上の部分と、壁だけの部分とでは、糊付け長さが異なり、また、窓の下の部分から先に貼った方がきれいに貼れるか、ドアの上の部分から先に貼った方がきれいに貼れるか等は、内装施工作業者の職人技であり、現場を見て、糊付け実行順序を決めることが多い。
【００１０】
この場合作業者は、事前に入力して生成された「糊付けデータレコード」を、順次読み出して、実行順序を決めながら糊付けを実行する場合には、キーで「糊付けデータレコード」を読み出し、大きい識別番号の「糊付けデータレコード」を、小さい識別番号の「糊付けデータレコード」よりも先に糊付け実行したい場合は読み飛ばして、実行しなければならないので、規模の大きな内装施工現場では手間がかかるという課題を有していた。
【課題を解決するための手段】
【００１１】
上記課題を解決するため、本発明は、
複数のローラを可変速速度制御するモータ制御部と、表示部、操作部と壁紙糊付機の全体を制御する制御部を有する壁紙糊付機であって、前記制御部は、
設定された長さの壁紙に糊付け動作を実行する処理と、
補助機能を実行する処理とに予め分離した処理の実行順序を定め持ち、補助機能を実行する処理は、実行中の処理から選択実行可能な処理の名称を示した選択項目と、
前記選択項目を選択するための選択入力手段と、
前記選択入力手段により選択された処理に進むことを指示する実行指示入力手段と、
処理の実行を１つ前の処理に戻すことを指示する後退指示入力手段を設け、
前記実行指示入力手段から信号が入力された時に選択入力手段が選択する選択項目の処理を実行し、
前記後退指示信号手段から信号が入力された時に、実行中の処理を停止して、１つ前に実行していた処理に後退させることを特徴とする。
【００１２】
また、前記選択入力手段、実行指示入力手段及び後退指示入力手段のキースイッチの名称部にＬＥＤを設け、各処理毎に有効キーと無効キーを定め、先に打鍵するキーのＬＥＤを点滅させ、後で打鍵するキーのＬＥＤを点灯させることにより、キー操作の順序を促し、操作に該当しないキーが打鍵された場合に、警告音を発する手段を有することを特徴とする。
【００１３】
また、糊付け動作を実行する処理は、糊付け長さと枚数を設定する項目を有し、選択項目は、少なくともプログラムモード又はパスワード項目を有することを特徴とする。
【００１４】
また、プログラムモード処理は、操作部のキー及び別体の入力出力装置から入力された２個以上の糊付けデータレコードを同時に表示し、糊付け実行が指示された糊付けデータの「糊付け長さ」項目中の長さを、糊付けを実行する処理の「糊付け長さ」に設定して糊付けを実行し、糊付けを実行した枚数を含む進捗管理レコードを表示する手段を有することを特徴とする。
【００１５】
また、前記糊付けデータレコードに、糊付け実行順序を設定する「糊付順序」項目を追加した進捗管理レコードを作成し、糊付け実行順序が設定された進捗管理レコードの「糊付け長さ」項目中の長さを、糊付けを実行する処理の「糊付け長さ」に設定して糊付けを実行し、糊付けを実行した枚数を含む前記進捗管理レコードを再表示することを特徴とする。
【００１６】
また、パスワード処理工程は、補助機能を実行する処理において、パスワードが登録されていた場合に、処理の実行開始直後に、パスワードの打鍵を要求し、打鍵されたパスワードと一致するパスワードが記憶部に存在しない場合には、予め定めた限定処理である「割り込みスイッチ動作」「インチングスイッチ動作」「ストップ動作」「高電圧警告」「低電圧警告」だけを実行し、打鍵されたパスワードと一致するパスワードが記憶部に存在する場合には、補助機能を使う設定の場合と、使わない設定の場合とで、異なる画面を表示して糊付けを実行する手段を有することを特徴とする。
【発明の効果】
【００１７】
本発明の自動壁紙糊付機は、起動直後の処理である処理以降では、補助機能を使わない経路と補助機能を使う経路とに、分岐した処理ブロック、及び実行順序を予め定め持っているので、補助機能を使わないで基本操作だけで糊付けを実行したい作業者は、「基本操作で糊付け実行」を選択実行した後は、基本操作だけで糊付けを実行する為に必要な「糊付け長さ」と「枚数」の設定を行う処理と、糊付け実行する処理だけを繰り返し実行できるので、機械操作が不得手な作業者が、補助機能の設定を行う処理群の画面項目を見たり、キースイッチに触れることはなく、簡単な操作で糊付作業を行うことができ、作業者の操作ミスによって、作業者が意図していない処理を、主演算部が実行してしまうことを防止できる。
【００１８】
また、処理毎の有効キーと無効キーを予め定め持ち、キースイッチ名称部にＬＥＤを設け、処理をその種類毎に分割しブロック化して、実行中の処置内で、有効にするキーと無効にするキーを定め、キースイッチ名称部にＬＥＤを設けることにより、操作部には全ての補助機能の設定に必要な複数のキースイッチが設けられていても、主演算部が現在実行中の処理で打鍵する必要があるキースイッチだけを特定（有効にして）して、ＬＥＤの点滅、或いは点灯させることにより作業者に知らせるので、作業者の打鍵ミスを防止することができる。
【００１９】
また、プログラムモードは、２個以上の進捗管理レコードを、部屋毎に集計して並べて、あるいは、壁紙毎に集計して並べて、同時表示することにより、作業者が内装施工現場での作業全体を把握することができる。
【００２０】
また、「糊付順序」項目を付加した進捗管理レコードを作成し表示することにより、作業者は実際の内装施工現場の、各部屋の窓やドアなどの位置や大きさと、そこに貼り付ける壁紙の種類を見ながら、内装施工現場の実情に適した、貼る順序に基づいて、「糊付順序」を定め、主演算部に指示することができ、主演算部は、その順序に従って、順次糊付けを行うので、内装施工順序が判らない非熟練者が糊付け作業ばかりを行い、ベテランの作業者が張り付け作業ばかりを行う、という方法で作業分担した場合でも、非熟練者は、主演算部が糊付けした順番通りに、裏面に糊が付いた壁紙を、ベテランの作業者に手渡せば、ベテランの作業者の手元には、貼りたい順番に、裏面に糊が付いた壁紙が届くので、内装施工作業の効率が上がる。
【００２１】
また、内装施工予定に対する、内装施工結果を付加して表示するので、内装施工現場の進捗状況が常時把握可能である。
【００２２】
また、パスワードと、補助機能を使うか、あるいは使わないかの設定を対応付けて格納しておき、補助機能を使わない、という設定のパスワードが打鍵されて起動開始している時には、基本操作だけで糊付けを実行する処理では、数字が大きく、かつ、補助機能の作動状態を表示する項目をなくすことで、すっきりした画面を表示し、補助機能を使う設定のパスワードが打鍵されて起動を開始している時には、糊付けを実行する処理画面を表示することにより、１台の壁紙糊付機であっても、２種類に使い分けることができるので、作業者は使用方法を適宜選択できる。
【発明を実施するための最良の形態】
【００２３】
本発明の壁紙糊付機の外観図を図１に示す。壁紙糊付機１では、複数のローラー２を可変速速度制御する為のモーター制御部と、電源スイッチ３を壁紙糊付機１の本体側面のカバー４内部に配置し、壁紙糊付機１を操作する為の操作ボックス５を壁紙糊付機本体上部中央の正面に取り付けている。
【００２４】
操作ボックス５の表面には、表示部５ａ、操作部５ｂ、割り込みスイッチ５ｃとストップスイッチ５ｄが配置され、操作ボックス５内部には、本発明の壁紙糊付機全体を制御する為の制御部が配置されている。図において、６はカッターガイド、７ａは壁紙原反、７ｂは糊付された壁紙である。
【００２５】
図２は本発明の壁紙糊付機の制御部の機能ブロック図で、制御部には、主にＣＰＵからなる主演算部とＲＯＭ、ＲＡＭからなる記憶部と画面記憶部があり、また、糊供給装置を接続して起動、停止させる為の糊供給装置インターフェイス部と、壁紙糊付機本体とは別体の装置とデータを送受信する為のシリアルインターフェイス部を備えている。
【００２６】
図３は本発明の表示操作部を示す。右半分が操作部５ｂであり、複数個のタクトスイッチと丸型ＬＥＤをプリント基板上に並べて実装し、その上方に、タクトスイッチの押しボタン部と丸型ＬＥＤの発光部に位置する部分をくりぬいた樹脂板を設け、その上にスイッチの名称を印刷したシートを貼り付けてキーボードを構成している。また、左半分は表示部５ａであり、１個の液晶表示器である。
【００２７】
壁紙糊付機を操作する為に必要な表示項目は、液晶表示器の画面上に順次その項目が表示される。
【００２８】
本発明の操作部に設けているキーと、その機能について説明する。操作部５ｂの中央には「数字０から９と・」キー８ａと、「セット」キー８ｂと、「クリア」キー８ｃが設けられ、これらは「糊付け長さ」等の数値を入力する為のキーである。
【００２９】
また以下の表示において、キーの名称の左上の●は、丸型の緑色ＬＥＤ９ａである。
「リセット」キー８ｄは、「カウント値」を０リセットする為のキーである。「速度アップ」キー８ｅと「速度ダウン」キー８ｅは、糊付速度を指示する為のキーである。「スタート」キー８ｆは、設定された長さの壁紙の糊付けの開始を指示する為のキーである。「インチング」キー８ｇは、押されている間だけ複数のローラー２を回転させる為のキーである。「頭出し」キー８ｈは、柄リピートモード機能で動作中に複数のローラーを回転させて、柄の先頭に位置合わせをする為のキーである。
【００３０】
以下の表示において、キーの名称部の線で囲んだ枠の外にある○は、丸型の赤色ＬＥＤ９ｂである。「自動」キー８ｉは、壁紙糊付機の糊箱の中に、壁紙糊付機本体とは別体の糊供給装置を自動で運転して糊の補充をする方法に設定する為のキースイッチである。「手動」キー８ｊは、壁紙糊付機の糊箱の中に、壁紙糊付機本体とは別体の糊供給装置を作業者が手動で運転して糊の補充をする方法に設定する為のキースイッチである。
「カーソル上移動キー」８ｋと「カーソル下移動キー」８ｌは、表示部に表示するカーソルを移動させて実行する処理を選択するキーである。「決定」キー８ｍは、カーソルが位置する項目の処理を実行するキーである。「戻る」キー８ｎは、実行している処理を停止して、１つ前の処理に戻すキーである。
【００３１】
上記の通り、「自動」キー８ｉの名称部のＬＥＤと、「手動」キー８ｊの名称部のＬＥＤと、「頭出し」キーの８ｈ名称部のＬＥＤは、キーが押されて選択決定された動作を開始している状態を表す為、キーの名称文字を囲んだ実線枠の外側に配置したＬＥＤは赤色ＬＥＤ９ｂとし、これ以外のキーの名称部のＬＥＤは、キーの名称文字を囲んだ実線枠の内側に配置した緑色ＬＥＤ９ａとし、それぞれのＬＥＤは、配置位置と色を異ならせ、かつ点灯、あるいは点滅させることで、キーの違いを作業者に判り易いようにしている。
【００３２】
上記した表示操作部を設けた本発明の壁紙糊付機１において、処理を実行する場合の処理の流れ図を図４に示す。図４中の太い実線で囲んだ長方形は処理を表しており、処理の中の細い実線で囲んだ長方形は選択項目を表しており、「決定」キー８ｍが押されると、カーソルを配置している選択項目の処理を実行し、「戻る」キー８ｎが押されると、実行中の処理を停止し、１つ前に実行していた処理に戻る。
【００３３】
また、１つあるいは複数の処理を点線で囲んだ部分は、作業者に選択項目や動作条件の入力を促す為の画面を表示して処理の進行を一時停止させる部分である。（以下では画面という）
また、本発明の壁紙糊付機は、図５、図６に示す様に各処理毎に有効にするキーと無効にするキーを定めて記憶部に格納している。
【００３４】
以下、本発明の処理の流れについて図４を参照して説明する。
【００３５】
図４において、処理Ｓ１Ａ（画面１Ａ）は、最上位の階層の処理であり、以下に続く経路１あるいは経路２の何れに進むかを選択する為の処理である。処理Ｓ４Ａ１とＳ５Ａ１は、壁紙に糊を付け作業をする場合に繰り返し実行する処理の流れである。
【００３６】
処理Ｓ２Ｂ（画面２Ｂ）は、何れの補助機能を設定するかを選択する処理である。
【００３７】
処理Ｓ３Ｂ１、処理Ｓ３Ｂ２、処理Ｓ３Ｂ３、処理Ｓ３Ｂ４と処理Ｓ３Ｂ５は選択された補助機能の設定を行う処理であり、処理Ｓ３Ｄ３から処理Ｓ４Ｄ１、処理Ｓ４Ｄ２、処理Ｓ４Ｄ３、処理Ｓ５Ｄ１は、補助機能のなかの進捗管理表（プログラムモード）（詳細は後述）機能を使う場合の処理の流れである。
【００３８】
処理Ｓ４Ｅ１は、補助機能のなかの柄リピートモード（詳細は後述）機能を使う設定を行う処理である。処理Ｓ４Ｆ１は、補助機能のなかのパスワード（詳細は後述）機能を使う設定を行う処理である。
【００３９】
処理Ｓ９０は、「インチングスイッチ」が押されている間だけ、複数のローラーを回転させる為の処理であり、流れ図に示す処理の進行順序には関係なく、「インチングスイッチ」が押された時に割り込んで実行する処理である。
【００４０】
処理Ｓ９１は、「割り込みスイッチ」が押された時に、複数のローラーを回転させる為の処理であり、流れ図に示す処理の進行順序には関係なく、「割り込みスイッチ」が押された時に割り込んで実行する処理である。
【００４１】
処理Ｓ９２は、「ストップスイッチ」が押された時に、複数のローラーを停止させる為の処理であり、流れ図に示す処理の進行順序には関係なく、「ストップスイッチ」が押された時に割り込んで実行する処理である。
【００４２】
処理Ｓ９３は、本発明の壁紙糊付機の取扱説明を表示する為の流れ図に示す処理の進行順序には関係なく実行する処理である。
【００４３】
次に糊付け作業を実行する処理の流れについて説明する。
【００４４】
壁紙糊付機１の「電源スイッチ」３をオンすると、起動された主演算部は第一の処理である処理Ｓ１Ａを実行中し、図７に示す画面１Ａを表示する。
【００４５】
この時、主演算部は、図５に示すように、この処理Ｓ１Ａの操作に該当するキーである「カーソル上移動キー」８ｋと「カーソル下移動キー」８ｌと数字キー８ａのうち数字「１」、「２」、「９」のキーと、「決定」キー８ｍと、「糊供給自動」キー８ｉと「糊供給手動」キー８ｊだけを有効にして、これ以外のキーを無効にし、「カーソル上移動キー」８ｋと「カーソル下移動キー」８ｌと数字キー８ａのうち数字「１」、「２」、「９」のキーの名称の部分に配置したＬＥＤを点滅させて、「決定」キー８ｍの名称の部分に配置したＬＥＤを点灯させて、作業者にキー操作をして次に実行する処理を選択することを促す。
【００４６】
作業者は、次に実行する処理を選択するか、あるいは、糊箱の中に糊を入れ、壁紙原反をセットする等の準備を先に行ってから、次に実行する処理を選択するか、のどちらかを選択する。
【００４７】
図７の「画面１Ａ：」と「メニューを選択して下さい」は、作業者に、この画面で行う操作を促す為のメッセージである。画面の中央部の「１：基本操作で糊付け実行」と「２：補助機能メニューへ」は、作業者が選択実行できる次に続く処理の内容を示した選択項目である。最下行の、「９：取扱説明」は、取扱説明書を表示する為の処理である処理Ｓ９３を実行する選択項目である。
【００４８】
また、カーソルを「１：基本操作で糊付けを実行」の文字列の先頭の「１：」の文字に配置し、また、この処理Ｓ１Ａの操作に該当するキーである、「カーソル上移動キー」８ｋと「カーソル下移動キー」８ｌと数字「１」、「２」、「９」キーと、「決定」キー８ｍだけを有効にして、これ以外のキーを無効にし、「カーソル上移動キー」８ｋと「カーソル下移動キー」８ｌと数字「１」、「２」、「９」キーの名称の部分に配置したＬＥＤを点滅させて、「決定」キー８ｍの名称の部分に配置したＬＥＤを点灯させて、作業者にキー操作を促す。
【００４９】
作業者は、画面上のカーソルを「カーソル上移動キー」８ｋまたは、「数字」キー８ａで、実行させたい選択項目に配置させてから「決定」キー８ｍを押せば、主演算部は選択された処理を実行する。
【００５０】
一方、「カーソル上移動キー」８ｋと「カーソル下移動キー」８ｌと数字「１」、「２」、「９」キーと、「決定」キー８ｍ以外のキー（有効にしていないキー）が押された場合は、主演算部は、ブザーをピピッと鳴らして、該当しないキー操作をしていることを知らせる。
【００５１】
次に、処理Ｓ１Ａで「１：基本操作で糊付けを実行」が選択されて、「決定」キー８ｍが押されると、「カーソル上移動キー」８ｋと「カーソル下移動キー」８ｌと数字「１」、「２」、「９」キーと「決定」キー８ｍの名称の部分に配置したＬＥＤを消灯した後、処理Ｓ４Ａ１（画面４Ａ）に進む。
【００５２】
この処理Ｓ４Ａ１（画面４Ａ）は、糊付けする壁紙の長さを設定して、糊付けを実行する処理であり、画面を図９に示す。
【００５３】
図９の１行目の「画面４Ａ：」と「糊付け長さを入力してスタートキーを押して下さい」は、この画面で行う操作を促すメッセージであり、「電池残量表示」欄は、本発明の壁紙糊付機１の操作ボックス５は、壁紙糊付機本体から取り外して、内部に乾電池を入れて事務所でプログラムモードの糊付けデータを予め入力できるので、操作ボックス内部の電池の残量を表示している。残量が少なくなってきた場合には、「有り」の表示から「無し」の表示に変えて表示する欄である。
【００５４】
「補助機能設定状態」欄は、補助機能を設定している場合にその作動状態を表示する。図９は全ての補助機能を設定していない状態である。
【００５５】
「糊付速度表示」の欄は、「スタート」キー８ｆが押されて、複数のローラー２を回転させて壁紙を搬送する時の速度を表示している。この「糊付速度」はＬ、１、２、３、４、５、６、７、８、９、Ｈの１１段階で設定でき、「糊付速度アップ」キー８ｅが１回押されると段階を１つアップさせて表示をすると同時に、その時表示している速度を、「糊付速度」に設定し、「糊付速度ダウン」キーが１回押されると段階を１つダウンさせて表示をすると同時に、その時表示している速度を、「糊付速度」に設定する。
【００５６】
「カウント値表示」欄は、複数のローラー２を回転させて裏面に糊を付けて排出する壁紙７ｂの検尺値（排出する壁紙の長さ）を表示する欄である。「糊付け長さ設定値表示」の欄は、作業者が打鍵した糊付けする壁紙の長さを表示する欄である。「枚数表示」の欄は、作業者が打鍵した枚数を表示する欄である。
【００５７】
この処理Ｓ４Ａ１（図９の画面で）で作業者は、１枚目の壁紙の「糊付け長さ」を数字キー８ａを使って入力するが、この時、カーソルを「糊付け長さ設定値表示」欄の最下位の桁に配置して、０を点滅して表示し、「クリア」キー８ｃと、「０」、から「９」までの数字キー８ａの名称の部分に配置したＬＥＤを点滅させて、先に打鍵する数字キー８ａを打鍵した後に「セット」キー８ｂを点灯表示させることにより、打鍵の順序を促す。
【００５８】
この時、作業者が、例えば、２６０ｃｍの「糊付け長さ」を設定したい場合には、数字「２」キー「６」キー「０」キーを順に打鍵して数値を入力すれば、壁紙糊付機１の主演算部は表示部の「長さ設定値表示」の欄に、「２」、「６」、「０」を点滅表示するので、作業者は誤りが無いことを確認して、「セット」キー８ｂを押すと、壁紙糊付機１の主演算部は、表示部５ａの「長さ設定値表示」の欄の「２」「６」「０」の点滅表示を点灯表示に変え、数値「２６０」を「糊付け長さ」＝２６０ｃｍとして設定し、表示部５ａの「枚数」の欄に０を点滅表示させるが、ここで、作業者は、同じ「糊付け長さ」で複数枚糊付けをする場合は（例えば３枚）、その枚数「３」を入力してから「セット」キー８ｂを押すと、壁紙糊付機１の主演算部は、入力された数値「３」を表示部５ａの「枚数」の欄に点灯表示し、「糊付け長さ」＝２６０ｃｍの壁紙を「３」枚設定する。
【００５９】
一方、表示部５ａの「枚数」の欄が０のまま「セット」キー８ｂが押され、「枚数」が０に設定された場合でも、主演算部は、糊付けを実行する。図９は、表示部の「枚数」の欄が０で「セット」キー８ｂが押された状態を示している。
【００６０】
以上の操作で、「糊付け長さ」と「枚数」の設定が終われば、主演算部は、図１０に示す画面を表示し、「スタート」キー８ｆの名称部のＬＥＤを点滅させて、作業者に、「スタート」キー８ｆを押して「糊付け実行」の指示を出す様に促すが、この時、「０」、から「９」までの数字キー８ａと、「セット」キー８ｂの名称部のＬＥＤを消灯させて、また、再度「糊付け長さ」を設定しなおしてもよく、この場合は「クリア」キー８ｃを打鍵する。「クリア」キー８ｃの名称部のＬＥＤはまだ点灯させている。
【００６１】
また、この時作業者が、「糊付速度アップ」キー８ｅ（上向き矢印）または、「糊付速度ダウン」キー８ｅ（下向き矢印）を押せば、壁紙糊付機１の主演算部は、現在設定されている「糊付速度」＝５を、指示された「糊付速度」に設定しなおし、また、作業者が、「インチング」キー８ｇを押せば、「インチング」キー８ｇが押されている間だけ複数のローラー２を回転させて、壁紙を少し送り、１枚目の壁紙の長さ検尺の原点位置を再設定する。
【００６２】
この様にして、作業者が１枚目の壁紙の「糊付け長さ」と「枚数」と「糊付速度」と、壁紙の長さ検尺の原点位置を設定して、「スタート」キー８ｆを押すと、主演算部は処理Ｓ５Ａ１を実行し、「スタート」キー８ｆの名称部のＬＥＤを消灯し、図１１に示す画面を表示し、糊を付けた壁紙の長さを逐次計算して、逐次計算した長さを、表示部５ａの「カウント値表示」の欄に表示しながら、（図１１は、１２３ｃｍまで糊付けした瞬間の画面である。）、壁紙の長さが２６０ｃｍに達すると、複数のローラーを停止させて、処理Ｓ４Ａ１に戻り、図１２に示す画面を表示する。
【００６３】
また、処理Ｓ４Ａ１で、「枚数」に０を設定して糊付けを実行すれば、主演算部は、この「糊付け長さ」の壁紙が何枚糊付けができたかを表示し、「枚数」の欄に１枚以上を設定して糊付けを実行すれば、この「糊付け長さ」の壁紙の糊付けが後何枚残っているかを表示する。
【００６４】
次に、作業者は２枚目の壁紙の糊付けを行うが、壁紙糊付機の主演算部はこの時、「リセット」キー８ｄと、「クリア」キー８ｃと「戻る」キー８ｎを有効にして、「リセット」キー８ｄと、「クリア」キー８ｃの名称部のＬＥＤは点滅している。
【００６５】
これは、作業者が、「リセット」キー８ｄを打鍵して１枚めと同じ「糊付け長さ」を設定するか、あるいは、「クリア」キー８ｃを打鍵して１枚めとは異なる「糊付け長さ」を設定するか、の２つの方法の何れかを選択できるようにするためである。もちろん、「戻る」キー８ｎを押して、処理Ｓ１Ａに戻すこともできる。
【００６６】
ここで作業者は、２枚目も１枚目と同じ長さの壁紙に糊付けしたい場合は、「リセット」キー８ｄを押せば、壁紙糊付機１の主演算部は、前回と同じ「糊付け長さ」＝２６０ｃｍを「糊付け長さ」に設定して、「カウント値」表示の欄を「０」にリセットして、「リセット」キー８ｄと「クリア」キー８ｃの名称の部分に配置したＬＥＤを消灯させて、「スタート」キー８ｆの名称の部分に配置したＬＥＤを点滅させて、作業者に「スタート」キー８ｆを押すことを促す。
【００６７】
一方、作業者は、１枚目と異なる長さの壁紙に糊付けしたい場合は、「クリア」キー８ｃを押せば、壁紙糊付機１の主演算部は、「糊付け長さ設定」の表示欄を「０」にクリアして、「０」、から「９」までの数字キー８ａの名称の部分に配置したＬＥＤを点滅させて、「セット」キー８ｂの名称の部分に配置したＬＥＤを点灯させて、作業者に「糊付け長さ」の数値を打鍵して「セット」キー８ｂを押すことを促し、作業者が数値を打鍵して「セット」キー８ｂを押せば、壁紙糊付機１の主演算部は、「セット」キー８ｂの名称の部分に配置したＬＥＤを消灯させて、「スタート」キー８ｆの名称の部分に配置したＬＥＤを点滅させて、作業者に「スタート」キー８ｆを押すことを促す。
【００６８】
この様に作業者は、上記いずれかの方法で２枚目の「糊付け長さ」を設定すれば、主演算部は、設定通り２枚目の糊付けを実行する。
【００６９】
続いて、本発明の壁紙糊付機１に備わっている補助機能を使って糊付け作業を行う方法を説明する。補助機能を使う場合は、作業者は処理Ｓ１Ａの図７に示した画面で、「２：補助機能メニューへ進む」を選択すると、図８に示す補助機能設定メニューの内容を表示する。この処理Ｓ２Ｂは、複数ある補助機能の内のどの機能の設定を行うかの選択をする処理である。
【００７０】
図８の画面の中央部に、「１：検尺補正機能」「２：糊検知機能」「３：原反残量表示機能」「４：壁紙末端検知機能」「５：合計表示機能」「６：プログラムモード機能」「７：柄リピート機能」「８：パスワード機能」の選択項目を表示して、左下に、「９：取扱説明」を表示している。
【００７１】
作業者が選択項目を選択して、「決定」キー８ｍを押せば、壁紙糊付機の主演算部は選択された補助機能の設定処理を実行する。つまり、「１：検尺補正機能」が選択されれば、処理Ｓ３Ｂ１を実行し、「２：糊検知機能」が選択されれば、処理Ｓ３Ｂ２を実行し、「３：原反残量表示機能」が選択されれば、処理Ｓ３Ｂ３を実行し、「４：壁紙末端検知機能」が選択されれば、処理Ｓ３Ｂ４を実行し、「５：合計表示機能」が選択されれば、処理Ｓ３Ｂ５を実行し、「６：プログラムモード機能」が選択されれば、処理Ｓ３Ｄを実行し、「７：柄リピート機能」が選択されれば、処理Ｓ４Ｅ１を実行し、「８：パスワード機能」が選択されれば、処理Ｓ４Ｆ１を実行する。
【００７２】
「１：検尺補正機能」が選択決定されたら、主演算部は、処理Ｓ３Ｂ１を実行し、図１５に示す画面を表示し、カーソルを「補正値の設定」：［ＯＮ］の文字ＯＮの上に配置して点滅させて、「カーソル上移動キー」８ｋと、「カーソル下移動キー」８ｌと、「決定」キー８ｍと、「戻る」キー８ｎを有効にして、「カーソル上移動キー」８ｋと、「カーソル下移動キー」８ｌの名称部のＬＥＤを点滅させて、「決定」キー８ｍの名称部のＬＥＤを点灯させる。
【００７３】
作業者が、「カーソル上移動キー」８ｋまたは、「カーソル下移動キー」８ｌを押す毎に、壁紙糊付機１の主演算部は、［ＯＮ］、［ＯＦＦ］と変化させ、［ＯＮ］の時に「決定」キー８ｍが押されれば、図１６に示すように表示画面には、０％を中心に左右に−２．０％、＋２．０％の帯グラフが表示され、「カーソル上移動キー」８ｋが１回押される毎に、点滅表示させているカーソルを右へ移動させ（１桁右へ配置）、「カーソル下移動キー」８ｌが１回押される毎に、点滅表示させているカーソルを左へ移動させ（１桁左へ配置）、「決定」キー８ｍが押されたら、カーソルを点滅から点灯表示に変え、カーソルを配置させていた桁の数値を検尺補正値として設定し（図１６は検尺補正値を＋１．０％に設定している。）、「カーソル上移動キー」８ｋと、「カーソル下移動キー」８ｌと「決定」キー８ｍの名称部のＬＥＤを消灯し、「戻る」キー８ｎの名称部のＬＥＤ点滅させる。
【００７４】
次に糊検知供給機能を設定する場合は、処理Ｓ２Ｂ（画面２Ｂ）で「２：糊検知機能」が選択決定されると、図１７に示す画面Ｓ３Ｂ２を表示し、カーソルを「糊検知」：［ＯＮ］の文字ＯＮの上に配置して点滅させる。
【００７５】
作業者が、「カーソル上移動キー」８ｋまたは、「カーソル下移動キー」８ｌを押す毎に、壁紙糊付機１の主演算部は、［ＯＮ］、［ＯＦＦ］と変化させ、［ＯＮ］の時に「決定」キー８ｍを押すと、「糊供給装置起動時間」：の欄に初期値として１０秒を表示して、「カーソル上移動キー」８ｋが１回押される毎に、数字を１秒アップして表示し、「カーソル下移動キー」８ｌが１回押される毎に、数字を１秒ダウンして表示する。
【００７６】
「決定」キー８ｍが押されると、その時に表示していた秒数を糊供給装置起動時間を起動させる時間として設定する。（図１７は１０秒に設定した場合である）
次に、作業者が糊の使用量から残量を推定する機能をオンさせたい場合は、「カーソル上移動キー」８ｋを押して「糊の使用量から残量推定：」を「ＯＮ」の表示に変えてから「決定」キー８ｍを押すと、「糊付けローラーとドクターの隙間：」の右の欄に「１．０ｍｍ」を表示し、「糊の粘度：」の右の欄に「極薄い粘度」を表示し、「壁紙の幅：」の右の欄に「１ｍ」を表示して、カーソルを「１．０ｍｍ」の上に配置して点滅させる。
【００７７】
ここで作業者は、「糊付けローラーとドクターの隙間」と「糊の粘度」と「壁紙の幅」を入力する場合は、「カーソル上移動キー」８ｋが押される毎に、「１．０ｍｍ」の欄を「１．５ｍｍ」、「２．０ｍｍ」、「２．５ｍｍ」、「３．０ｍｍ」と変化させ、「決定」キー８ｍを押すと、「糊の粘度：」の右の欄の「極薄い粘度」上にカーソルを移動させて、「カーソル上移動キー」８ｋが押される毎に、「薄い粘度」、「濃い粘度」、「極濃い粘度」と変化させ、使用中の糊の粘度が極濃い粘度ならば、「極濃い粘度」を表示している時に、「決定」キー８ｍを押す。
【００７８】
次に、主演算部は、「壁紙の幅：」の右の欄の「１ｍ」を表示している上にカーソルを移動させて、「カーソル下移動キー」８ｌが押される毎に、「０．８８ｍ」、「０．６８ｍ」、と変化させるので、作業者は、糊を付ける壁紙の幅が１ｍならば、「１ｍ」を表示している時に、「決定」キー８ｍを押すと、主演算部は、図１７に示すように設定すべき項目を画面に表示した画面が表示され、「糊付けローラーとドクターの隙間」＝１．５ｍｍ、「糊の粘度」＝極濃い粘度、「壁紙の幅」＝１ｍという条件に該当する、糊付けできる長さを設定する。
【００７９】
次に原反残量表示機能を設定する場合は、処理Ｓ２Ｂ（画面２Ｂ）で「３：原反残量表示機能」が選択決定されると、図１８に示す画面Ｓ３Ｂ３を表示し、「カーソル上移動キー」８ｋと、「カーソル下移動キー」８ｌと、数字「０」、から「９」キーと小数点「．」キーと「決定」キー８ｍと、「戻る」キー８ｎを有効にして、「カーソル上移動キー」８ｋと、「カーソル下移動キー」８ｌと、数字「０」、から「９」キーと小数点「．」キーとの名称部のＬＥＤを点滅させて、「決定」キー８ｍの名称部のＬＥＤを点灯させ、「壁紙原反の長さ」：の欄に初期値として５０．０ｍを表示して、「カーソル上移動キー」８ｋが１回押される毎に、数字を０．１ｍアップして表示し、「カーソル下移動キー」８ｌが１回押される毎に、数字を０．１ｍダウンして表示する。
【００８０】
次に壁紙末端検知機能を設定する場合は、処理Ｓ２Ｂ（画面２Ｂ）で「４：壁紙末端検知機能」が選択決定されると、図１９に示す画面Ｓ３Ｂ４を表示し、カーソルを「壁紙末端検知」：［ＯＮ］の文字ＯＮの上に配置して点滅させて、「カーソル上移動キー」８ｋと、「カーソル下移動キー」８ｌと、「決定」キー８ｍと、「戻る」キー８ｎを有効にして、「カーソル上移動キー」８ｋと、「カーソル下移動キー」８ｌの名称部のＬＥＤを点滅させて、「決定」キー８ｍの名称部のＬＥＤを点灯させる。
【００８１】
糊供給装置起動時間が選択され「決定」キー８ｍで設定された後に、「戻る」キー８ｎが押されると、壁紙糊付機の主演算部は、処理Ｓ２Ｂへ戻る。
【００８２】
次に合計表示機能を設定する場合は、「５：合計表示機能」が選択決定されると、図２０に示す画面Ｓ３Ｂ５を表示する。
【００８３】
図２０に示す画面Ｓ３Ｂ５の上半分の表の部分は、「糊付け長さ」と「枚数」から使用する壁紙の長さを計算して表示する機能であり、下半分の「糊付けした長さ合計１」と「糊付けした長さ合計２」は、本壁紙糊付機がこれまでに糊付けした長さの合計を表示している。
【００８４】
処理Ｓ３Ｂ５を実行すると、表の「糊付け長さ」の欄を点滅させ、数字「０」から「９」キーと「セット」キー８ｂと、「カーソル上移動キー」８ｋと、「カーソル下移動キー」８ｌを有効にし、使用する壁紙の長さを計算したい場合には、「糊付け長さ」と「枚数」の欄に数値を入力して「セット」キーを押すと、主演算部は「使用長さ」と、その合計を算出して表示する。
【００８５】
一方、作業者が壁紙糊付機１がこれまでに糊付けした長さの合計を０リセットする場合は、「カーソル下移動キー」８ｌを押して、カーソルを「糊付けした長さ合計１」の欄の「０リセット」に配置させて「決定」キー８ｍを押すと、主演算部は、図２０では５００ｍである「糊付けした長さ合計１」を、リセットして０を表示する。同様に２００００ｍ「糊付けした長さ合計２」をリセットし０を表示する。
【００８６】
また、糊の使用量から糊箱の中の糊残量を推定する機能を「ＯＮ」に設定して糊付けを実行する場合は、図１３に示した画面に替え、図１４に示す画面を表示する。
【００８７】
図１４の左端は、糊箱の中の糊の液面を「糊切れ高さＨｅ」から「満タン高さＨｆ］までの１０段階で表した棒グラフである。棒グラフの１つの段階は、糊の重量の０．５Ｋｇに相当し、例えば、棒グラフの先端が「８」の位置まで伸びていれば、糊箱の中の糊の液面高さは「制御領域上限高さＨｈ」にあり、重量換算では４．５Ｋｇの糊が糊箱にあることを示す。
【００８８】
図１４の棒グラフは、「６」の位置まで伸びているので、「制御領域下限高さＨｌ」よりも、２Ｋｇ多い３．５Ｋｇであることを表している。
【００８９】
図１４に示す画面は、「糊付け長さ」＝２００ｃｍの壁紙に２４回糊付けを行った後に、処理Ｓ４Ａ１に戻り停止している状態を示している。制御糊量３．０Ｋｇの糊で、隙間が１．５ｍｍで、極濃い粘度の糊で、幅１ｍの壁紙の場合には、２０ｍ糊付けができる。（「糊付け長さ」＝２００ｃｍなら１０枚）
作業者は、２３枚目の糊付けを実行している時に、糊箱に設けられた窓から糊の液面の高さを目視しておき、図１４に示す様に、糊付け動作が終了して処理Ｓ４Ａ１に戻り、次の「糊付け長さ」の入力待ち状態の時に、「カーソル上移動キー」８ｋと「カーソル下移動キー」８ｌを同時に押すと、主演算部は、現在の糊残量の推定値の棒グラフの先端部の「６」の上にカーソルを移動させて点滅させるので、糊残量が「不足」の場合には、作業者は、目視した液面高さが、例えば、「３」であったならば、「カーソル下移動キー」８ｌを３回押して、カーソルを「６」から「３」の位置に移動させた後に、「決定」キー８ｍを押し、推定値と実際値との糊量の差異を直接入力する。
【００９０】
糊残量が「不足」の場合には、「カーソル下移動キー」８ｌを押してカーソルを「６」から「３」に移動させると、棒グラフの先端が「６」から「３」に変更されるので、実際の糊量は、推定していた量よりも０．５Ｋｇ  ｘ  ３  ＝１．５Ｋｇ少なかったと判定し、次の２５枚目の壁紙に糊を付ける為に処理Ｓ５Ａ１を実行する時に、糊供給装置を、５秒間だけ起動させて、１．５Ｋｇの糊を補充して（糊供給装置は１秒間に０．３Ｋｇの糊を補充できる）、推定の糊量と、実際の糊量の差異を修正する。
【００９１】
糊残量が「過多」の場合には、カーソルを「６」から「８」の位置に移動した後に、「決定」キー８ｍを押すと、実際の糊量は、推定していた量よりも０．５Ｋｇ  ｘ  ２  ＝１．０Ｋｇ多かったと判定する。また、制御糊量３．０Ｋｇで２０ｍ糊付けができる条件なので、１．０Ｋｇは６．６７ｍに相当するので、「糊付けした長さＬＣメートル数」から６．６７ｍを減算して、「糊付けした長さＬＣメートル数」と設定し直す。
【００９２】
次にプログラムモードを設定する場合は、処理Ｓ２Ｂ（画面２Ｂ）で「６：プログラムモード機能」を選択して「決定」キーを押せば、処理Ｓ３Ｄを実行し、図２１に示す画面３Ｄを表示する。作業者が、「１：操作部のキーから入力する」を選択して「決定」キーを押せば、処理Ｓ４Ｄ１を実行し、図２２に示す画面を表示する。
【００９３】
画面２２において、「プログラムNo.」の３桁の欄は、レコードの入力順に、連番付けた（重複のない）数値を表示している。「糊付け長さ」の欄は、作業者が入力する糊付け長さを表示する。「枚数」の欄は、作業者が入力する枚数を表示する。「部屋名」の欄は、作業者が入力する部屋名を表示する。「壁紙品番」の欄は、作業者が入力する壁紙品番を表示する。「現場名」の欄は、作業者が入力する現場名を表示する。画面右の○で囲んだ数字とアルファベットは、この処理Ｓ４Ｄ１では数字キーに、数字とアルファベットの両方の意味をもたせるので、その意味づけを作業者に説明する欄である。
【００９４】
この処理Ｓ４Ｄ１では、アルファベットキーの役割を持たせた数字「０」、「１」から「９」キーの数字キーを、数字入力キーとするか、アルファベットを入力するキーとするかを切り替える為の小数点「．」キーと、「セット」キーと、「決定」キーと「戻る」キーを有効にして、数字「０」、「１」から「９」キーと、「セット」キーの名称部のＬＥＤを点滅させて、小数点「．」キーと、「決定」キーの名称部のＬＥＤを点灯させている。
カーソルを「糊付け長さ」の欄に配置して点滅させている。
【００９５】
作業者は、１つ目の「糊付けデータ」の「糊付け長さ」である「２５０」を打鍵して「セット」キーを押せば、次に、カーソルを「枚数」の欄に配置して点滅させるので、作業者は、「枚数」４を打鍵して「セット」キーを押せば、入力された数値「４」を「枚数」の欄に点灯表示させて、カーソルを「壁紙品番」の欄に配置して点滅させる。
【００９６】
作業者は、「壁紙品番」ＣＬＯＴＨ０１を打鍵して「セット」キーを押せば、入力されたアルファベットと数字からなる「ＣＬＯＴＨ０１」を「壁紙品番」の欄に点灯表示させて、カーソルを「部屋名」の欄に配置して点滅させる。
【００９７】
続いて作業者は、「部屋名」ＨＹ０１を打鍵して「セット」キーを押せば、入力されたアルファベットと数字からなる「ＨＹ０１」を「部屋名」の欄に点灯表示させて、続いて作業者は、「現場名」ＳＨＩを打鍵して「セット」キーを押せば、入力されたアルファベットからなる「ＳＨＩ」を「現場名」の欄に点灯表示させて、画面上のカーソルを消去して、数字「０」、「１」から「９」キーと、「セット」キーの名称部のＬＥＤを消灯させて、「決定」キーの名称部のＬＥＤを点滅させるので、作業者が、「セット」キーを押せば、「プログラムNo.」（識別番号）＝００１、「糊付け長さ」＝２００ｃｍ、「枚数」＝３枚、「部屋名」＝ＨＹ０１、「壁紙品番」＝ＣＬＯＴＨ０１、「現場名」＝ＳＨＩ、からなる「糊付データ」を記憶部に格納する。この様な操作を繰り返して、作業者は複数の「糊付データ」を入力するのである。
【００９８】
この様にして、作業者が１１個入力した場合の、１つ１つの「糊付データ」に、内装施行作業の進捗管理をする為に必要な項目を追加して作成して記憶部に格納した「進捗管理レコード」を図２３に示す。図２３の１行が１レコードであり、全部で１１レコード作成している。
【００９９】
「ＰＲＧＮＯ」は、レコードを識別する識別番号であり、
「糊付順序」は、内装施工作業者が現場の状況に応じて、複数の「進捗管理レコード」をどの順序で糊付けするかを決める為に必要な項目であり、初期値としてブランクを代入している。
【０１００】
「実行枚数」は、初期値として０を代入している。「予定長さ」は、「糊付け長さ」Ｘ「予定枚数」の長さを、単位ｍで計算して代入している。「実行長さ」は、「糊付け長さ」Ｘ「実行枚数」の長さを、単位ｍで計算して代入している。
【０１０１】
以上の操作により「進捗管理レコード」が作成され、作業者が、１１個の糊付けデータを入力し終わった後、処理Ｓ３Ｄ３に戻して、図２１に示す画面で「３：進捗管理表（入力したデータ）を見る」を選択実行させると、図２３の「進捗管理レコード」を記憶部から読み出して、画面記憶部に読み込むと同時に、表示部に図２４に示す「進捗管理レコード」を表示する。図２４の太い実線で囲んだ部分（内側の枠）は画面に表示されている部分を示し、細い実線で囲んだ部分（外側の枠）は、画面記憶部には存在するが、表示部の画面には表示できない部分を示している。ただし、８ｋのカーソル上移動キーと８ｌのカーソル下移動キーを同時に押すことで８ｋのカーソル上移動キーは左方向への移動キー、８ｌのカーソル下移動キーは右方向への移動キーとして機能し、再度操作することにより８ｋのカーソル上移動キーと８ｌのカーソル下移動キーを同時に押すことで基の上下方向の移動キーに設定が切り替わるようになっており、順次の表示項目をスクロールさせることができるようになってもいる。
【０１０２】
これらのレコードの糊付けを実行する為に、１１個の「進捗管理レコード」に「糊付順序」を付ける場合の方法を図２５を用いて説明する。
【０１０３】
作業者が、図２５の上から５レコードめの「ＰＲＧNo.」＝００５，「部屋名」＝ＹＨ０２，「壁紙品番」＝ＣＬＯＴＨ０４、「糊付  長さ」＝４００、「予定枚数」＝１のレコードに、「糊付順序」に１を付けたい場合、カーソルをレコード（００５のレコード）の「糊付順序」の欄（現時点ではブランク）にカーソルを移動させてから「決定」キーを押すと、一番最初に選択されて、「決定」キーが押されたこの００５のレコードの「糊付順序」の欄のブランクを１に変えて表示し、この００５のレコードの「糊付順序」を１として定める。
【０１０４】
この様に、壁紙糊付機の主演算部は、一番最初に「決定」キーが押されたレコードの「糊付順序」を１に、次に押されたレコードの「糊付順序」を２へと、順次自動的にアップさせていきながら「決定」キーが押されたレコードの「糊付順序」を、ブランクから順序数字に置換して、画面記憶部と、記憶部にも再格納する。
【０１０５】
次に「進捗管理レコード」の糊付けを実行する場合は、作業者は、図２５の「糊付順序」の見出し欄（画面の一番上の行）にカーソル移動させて、「決定」キーを押せば、処理Ｓ５Ｄ１を実行し図２６に示す画面を表示し、「スタート」キーの名称部のＬＥＤを点滅させて、「糊付け長さ表示」欄には、図２５で示したＰＲＧNo.（識別番号）＝００５の糊付け長さ＝４００ｃｍを代入して表示するので、作業者は、補助機能の設定の欄の糊残量や壁紙残量を確認してから「スタート」キーを押せば、主演算部は複数のローラーを回転させて糊付けを実行する。
【０１０６】
一方「戻る」キーが押されたら、処理Ｓ４Ｄ３へ戻り図２５に示した画面を表示する。
【０１０７】
この後、作業者は、裏面に糊が付けられて排出された４００ｃｍの壁紙を切断した後、カーソルが「糊付順序」の見出し欄（画面の一番上の行）にある状態で、もう一度「決定」キーを押せば、再び処理Ｓ５Ｄ１を実行し、糊付順序２が付けられているレコードが表示され、糊付け順序１と同操作で糊付が実行される。
【０１０８】
「糊付順序」が付けられていないレコードは、糊付けを実行されないまま残るが、カーソルをこのレコードの「糊付け長さ」の欄に移動させてから「決定」キー８ｍを押せば、糊付けを実行し、「進捗管理レコード」を更新する。そしてまた、糊付けが完了したＰＲＧNo.で、「実行枚数」が「予定枚数」と一致している場合でも、カーソルをこのレコードの「糊付け長さ」の欄に移動させて「決定」キー８ｍを押してから「スタート」キー８ｆを押すとそのＰＲＧNo.の糊付け長さ分の糊付けを実行し、「進捗管理レコード」を更新する。
【０１０９】
次に、処理Ｓ２Ｂで「パスワード機能」が選択されたら、主演算部は処理Ｓ４Ｆ１を実行し、図２７に示す画面を表示する。
【０１１０】
画面の項目において、・「パスワード１：        」とその右の「補助機能：使わない」から「パスワード３：        」とその右の「補助機能：使わない」は、３個のパスワードと、パスワード毎に、補助機能を使って糊付け動作を実行するか、或いは、使わないで実行するかを対応づけて登録できる様にする為の選択項目である。
【０１１１】
また、図２７に示す画面における、「糊付動作を禁止するか：する」は、登録されていないパスワードが入力された場合に、糊付動作を行う処理を実行することを「禁止させる」か、「禁止しないか」の設定をする為の選択項目であり、（上記のパスワードを登録する）は、打鍵したパスワードと条件を登録することを確認する為の選択項目であり、（取消す）は、一度登録したパスワードと条件を取り消すことを確認する為の選択項目である。
【０１１２】
作業者は、数字キーを押して４桁のパスワードを入力して「決定」キーを押せば、主演算部はカーソルを「補助機能：」「使わない」上に移動し、作業者が、「カーソル下移動」キーを１回押す毎に、「使わない」「使う」という文字を切り替えて点滅表示させるので、補助機能を使わない作業者は、「使わない」という文字が点滅している時に、「決定」キーを押せば、入力されたパスワードでは補助機能は使わないという設定を登録し、カーソルを「糊付動作を禁止するか：する」の欄に移動させて「する」を表示している上に点滅表示しているので、したくない場合は、作業者が「カーソル下移動」キーを押せば、「しない」に表示を切り替えるので、作業者がどちらかを選択し、「決定」キーを押せば、壁紙糊付機の主演算部は、（上記のパスワードを登録する）にカーソルを移動させて点滅表示させて、打鍵されたパスワードと、設定を登録するかどうかを確認をし、作業者が「決定」キーを押せば、壁紙糊付機の主演算部は、打鍵されたパスワードと条件を対応づけて記憶部に格納する。
【０１１３】
図７で示した画面を表示する前に、図２８に示すパスワード確認の画面を表示するの  で、作業者が、登録したパスワードを打鍵して決定キーを押せば、打鍵されたパスワードが、記憶部に格納しているパスワードと一致するかどうかを検索し、一致するパスワードが存在すれば、図７の画面を表示し、一致したパスワードが存在しなければ、再びパスワードをもう一度打鍵することを促し、３回連続してパスワードが打鍵されて、いずれもとも一致するパスワードが記憶部に存在しなかった場合でも、図７の画面を表示し、一致するパスワードが存在しない状態で処理Ｓ１Ａを実行した場合には、図７に示す画面で、作業者により、「２：補助機能メニューへ」、が選択決定された場合には、画面の１行目に、「補助機能メニューは実行できません」を表示し、図４の流れ図の経路２には分岐しない（つまり処理Ｓ２Ｂとこの下位の階層の処理は実行しない）という限定した処理の実行をする。
【０１１４】
パスワード登録時の図７０の画面で、一致しないパスワードが打鍵された場合の「糊付動作を禁止するか：する」が設定されていた場合は、糊付けを実行する処理である処理Ｓ４Ａ１にも進行させない。
【０１１５】
また、一致するパスワードが記憶部に存在して処理Ｓ１Ａを実行した場合で、パスワードを登録した時に、「補助機能：使わない」、という条件を設定をしていた場合は、糊付けを実行する処理である処理Ｓ４Ａ１と処理Ｓ５Ａ１では図２９に示す画面の様に、補助機能の設定状態を表示する欄がなく、糊付け動作を実行し、パスワードを登録した時に、「補助機能：使う」、という条件を設定していた場合には、糊付けを実行する処理である処理Ｓ４Ａ１と処理Ｓ５Ａ１では、図３０に示す様に、補助機能の設定状態を表示する欄があり、また図２８の画面の最下行の（補助機能メニュー）が選択実行されれば、補助機能の選択処理Ｓ２Ｂを実行する。
【図面の簡単な説明】
【０１１６】
【図１】本発明の自動壁紙糊付機の概要図。
【図２】本発明の自動壁紙糊付機の機能ブロック図。
【図３】本発明の自動壁紙糊付機の表示操作部の正面図。
【図４】本発明の自動壁紙糊付機の処理のフロー図。
【図５】本発明の自動壁紙糊付機のキー設定説明。
【図６】本発明の自動壁紙糊付機のキー設定説明。
【図７】本発明の自動壁紙糊付機の処理の画面表示図。
【図８】本発明の自動壁紙糊付機の処理の画面表示図。
【図９】本発明の自動壁紙糊付機の糊付け長さ入力画面表示図。
【図１０】本発明の自動壁紙糊付機の糊付け長さと枚数の設定画面表示図。
【図１１】本発明の自動壁紙糊付機の糊付け動作途中画面表示図。
【図１２】本発明の自動壁紙糊付機の糊付け完了画面表示図。
【図１３】本発明の自動壁紙糊付機の補助機能設定時の画面表示図。
【図１４】本発明の自動壁紙糊付機の補助機能設定時の画面表示図。
【図１５】本発明の自動壁紙糊付機の補正機能設定時の画面表示図。
【図１６】本発明の自動壁紙糊付機の補正機能設定時の画面表示図。
【図１７】本発明の自動壁紙糊付機の糊検知機能設定時の画面表示図。
【図１８】本発明の自動壁紙糊付機の原反残量機能設定時の画面表示図。
【図１９】本発明の自動壁紙糊付機の末端検知機能設定時の画面表示図。
【図２０】本発明の自動壁紙糊付機の合計表示機能設定時の画面表示図。
【図２１】本発明の自動壁紙糊付機のプログラムモード機能の処理選択時の画面表示図。
【図２２】本発明の自動壁紙糊付機のプログラムモード機能の糊付データの画面表示図。
【図２３】本発明の自動壁紙糊付機の進捗管理レコード画面表示図。
【図２４】本発明の自動壁紙糊付機の進捗管理レコード画面表示図。
【図２５】本発明の自動壁紙糊付機の糊付順序設定時の画面表示図。
【図２６】本発明の自動壁紙糊付機の糊付実行時の画面表示図。
【図２７】本発明の自動壁紙糊付機のパスワード登録の画面表示図。
【図２８】本発明の自動壁紙糊付機のパスワード入力要求の画面表示図。
【図２９】本発明の自動壁紙糊付機の糊付け長さ入力の画面表示図。
【図３０】本発明の自動壁紙糊付機の糊付け長さ入力の画面表示図。
【符号の説明】
【０１１７】
１  壁紙糊付機
２  複数のローラー
３  電源スイッチ
４  カバー  
５  操作ボックス
５ａ  表示部
５ｂ  操作部
５ｃ  割り込みスイッチ
５ｄ  ストップスイッチ
６  カッターガイド
７ａ  壁紙原反
７ｂ  糊付された壁紙
８ａ  数字キー（１〜９と・）
８ｂ  セット
８ｃ  クリア
８ｄ  リセット
８ｅ  スピード（速度アップと速度ダウン）
８ｆ  スタート
８ｇ  インチング
８ｈ  頭出し
８ｉ  自動
８ｊ  手動
８ｋ  カーソル上移動
８ｌ  カーソル下移動
８ｍ  決定キー
８ｎ  戻るキー
９ａ  ＬＥＤ
【図１】
2009090225.tif 000003
【図２】
2009090225.tif 000004
【図３】
2009090225.tif 000005
【図４】
2009090225.tif 000006
【図５】
2009090225.tif 000007
【図６】
2009090225.tif 000008
【図７】
2009090225.tif 000009
【図８】
2009090225.tif 000010
【図９】
2009090225.tif 000011
【図１０】
2009090225.tif 000012
【図１１】
2009090225.tif 000013
【図１２】
2009090225.tif 000014
【図１３】
2009090225.tif 000015
【図１４】
2009090225.tif 000016
【図１５】
2009090225.tif 000017
【図１６】
2009090225.tif 000018
【図１７】
2009090225.tif 000019
【図１８】
2009090225.tif 000020
【図１９】
2009090225.tif 000021
【図２０】
2009090225.tif 000022
【図２１】
2009090225.tif 000023
【図２２】
2009090225.tif 000024
【図２３】
2009090225.tif 000025
【図２４】
2009090225.tif 000026
【図２５】
2009090225.tif 000027
【図２６】
2009090225.tif 000028
【図２７】
2009090225.tif 000029
【図２８】
2009090225.tif 000030
【図２９】
2009090225.tif 000031
【図３０】
2009090225.tif 000032